(57)【特許請求の範囲】
【請求項１】
１μｍ未満の平均粒度を有する水性エマルションの製造方法であって、まず第１工程において、
（ａ）１０〜２０重量％の一般式：
Ｒ１Ｏ−［Ｇ］ｐ
［式中、Ｒ１は４〜２２個の炭素原子を含有するアルキルおよび／またはアルケニル基であり、Ｇは５または６個の炭素原子を含有する糖基であり、ｐは１〜１０の数である。］で示されるアルキル（オリゴ）グリコシド、
（ｂ）４〜１０重量％の、グリセロールと鎖長Ｃ１２〜Ｃ２２脂肪酸とのエステル、
（ｃ）５〜３０重量％の油体、および
（ｄ）１００重量％までの残量としての、水および任意に更なる成分
からなり、１００ｎｍ未満の平均粒度を有するマイクロエマルションを調製し、次いで第２工程において、このマイクロエマルションを、１５〜３５℃の温度でマイクロエマルションの体積の５〜２０倍の水を用いて希釈し、油体が、アルキル基１つあたり６〜２２個の炭素原子を含有する直鎖または分枝、対称または非対称のジアルキルエーテルであることを特徴とする方法。
【請求項２】
更なる成分が、アニオン性界面活性剤、非イオン性界面活性剤、両性界面活性剤またはカチオン性界面活性剤であることを特徴とする、請求項１に記載の方法。
【請求項３】
更なる成分が、一般式：
Ｒ２−ＯＨ
［式中、Ｒ２は６〜２２個の炭素原子を含有する飽和または不飽和、分枝または非分枝のアルキルまたはアルケニル基である。］
で示される脂肪アルコールであることを特徴とする、請求項１または２に記載の方法。
【請求項４】
更なる成分が、一般式：
Ｒ３Ｏ−（ＣＨ２ＣＨ２Ｏ）ｍＳＯ３Ｘ
［式中、Ｒ３は６〜２２個の炭素原子を含有する直鎖または分枝のアルキルおよび／またはアルケニル基であり、ｍは１〜１０の数であり、Ｘはアルカリ金属および／またはアルカリ土類金属、アンモニウム、アルキルアンモニウム、アルカノールアンモニウムまたはグルカンモニウムである。］
で示される脂肪アルコールエーテルスルフェートであることを特徴とする、請求項１〜３のいずれかに記載の方法。
【請求項５】
第１工程で調製されるマイクロエマルションが以下の組成：
１０〜２０重量％のアルキル（オリゴ）グリコシド、
４〜１０重量％のグリセロール脂肪酸エステル、
５〜３０重量％の油体、
０〜１５重量％の脂肪アルコールエーテルスルフェート、
０〜１５重量％の脂肪アルコール、
１００重量％までの残量としての、水および任意に更なる成分
からなることを特徴とする、請求項１〜４のいずれかに記載の方法。
【請求項６】
請求項１に記載の方法に従って製造された、１μｍ未満の平均粒度を有する水性エマルション。
【請求項７】
請求項６に記載の水性エマルションを含んでなる化粧組成物。
【発明の詳細な説明】
【技術分野】
【０００１】
本発明は、化粧組成物の分野で微分散エマルションとして存在するエマルション、およびそのようなエマルションの製造方法に関する。
【背景技術】
【０００２】
非イオン性乳化剤を用いて調製された水中油型エマルションは、しばしば加熱時の相反転に悩まされることが知られている。即ち、高温で外部水相が内部相になり得る。この過程は一般に可逆性であり、このことは、冷却すると元のエマルション型が再び生じることを意味する。相反転温度より高温で調製されたエマルションは、一般に、粘度が低く、貯蔵安定性が高い。ＷＯ  ９７／０６８７０  Ａ１は、このタイプの糖界面活性剤含有エマルションを開示している。しかしながら、そのようなエマルションの製造は、エマルションをまず加熱し、次いで冷却しなければならないので、実際には複雑かつ高価である。更に、微分散エマルションを直接、即ち適用前または適用中に製造することに対する消費者側の要求が存在する。その結果として、微分散エマルションの貯蔵安定性を高めるために通常使用される添加剤を省くことができる。
【先行技術文献】
【特許文献】
【０００３】
【特許文献１】ＷＯ  ９７／０６８７０  Ａ１
【発明の概要】
【発明が解決しようとする課題】
【０００４】
従って、本発明の目的は、製造がより簡単な水性微分散エマルションを提供することである。
【課題を解決するための手段】
【０００５】
本発明は最初に、１μｍ未満の平均粒度を有する水性エマルションの製造方法であって、まず第１工程において、
１０〜２０重量％の一般式：
Ｒ１Ｏ−［Ｇ］ｐ
［式中、Ｒ１は４〜２２個の炭素原子を含有するアルキルおよび／またはアルケニル基であり、Ｇは５または６個の炭素原子を含有する糖基であり、ｐは１〜１０の数である。］
で示されるアルキル（オリゴ）グリコシド、
４〜１０重量％の、グリセロールと鎖長Ｃ１２〜Ｃ２２脂肪酸とのエステル、
５〜３０重量％の油体、および
１００重量％までの残量としての、水および任意に更なる成分
を少なくとも含んでなるマイクロエマルションを調製し、次いで第２工程において、このマイクロエマルションを、１０〜４５℃、好ましくは１５〜３５℃の温度でマイクロエマルションの体積の５〜２０倍の水を用いて希釈する方法を提供する。
【発明を実施するための形態】
【０００６】
このように、本発明の方法は２段階法であり、第１工程ではマイクロエマルションをそれ自体既知の方法で調製する。マイクロエマルションはまず、２種の不混和性液体および少なくとも１種の非イオン性界面活性剤または１種のイオン性界面活性剤からなる巨視的に均一で光学的に透明な低粘性の特に熱力学的に安定な混合物の全てを意味すると理解される。マイクロエマルションの平均粒度は通常１００ｎｍ未満であり、マイクロエマルションは、高い透明性を有し、２０００ｒｐｍで少なくとも３０分間遠心分離した際の可視的相分離に対して安定である。
【０００７】
第１工程（以下、工程１とも称する）におけるマイクロエマルションの調製は、好ましくは、油相と他の油溶性成分との混合、全成分の融点より高い温度までの油相の加熱、および続く界面活性剤含有水相の添加によって簡単に実施される。その後、熱力学的に安定なマイクロエマルションが自発的に生じる。適切な場合は、少し撹拌することも必要である。
【０００８】
マイクロエマルションは、必須成分として、糖界面活性剤、即ちアルキル（オリゴ）グリコシド（以下「ＡＰＧ」とも称される）を含んでなる。本発明の教示において、アルキルおよび／またはアルケニルオリゴグリコシドは、式：Ｒ１Ｏ−［Ｇ］ｐ［式中、Ｒ１は４〜２２個の炭素原子を含有するアルキルおよび／またはアルケニル基であり、Ｇは５または６個の炭素原子を含有する糖基であり、ｐは１〜１０の数である。］に従う。それらは、従来の有機化学の適切な方法によって得られる。アルキルおよび／またはアルケニルオリゴグリコシドは、５または６個の炭素原子を含有するアルドースまたはケトース、好ましくはグルコースから誘導され得る。従って、好ましいアルキルおよび／またはアルケニルオリゴグリコシドは、アルキルおよび／またはアルケニルオリゴグルコシドである。一般式（Ｉ）中の添え字ｐは、オリゴマー化度（ＤＰ）、即ち、モノ−およびオリゴグリコシドの分布を示し、１〜１０の数である。所定の化合物中のｐは常に整数でなければならず、本発明では特にＰ＝１〜６の値をとり得るが、特定のアルキルオリゴグリコシドについての値ｐは、ほとんどの場合端数の、分析によって決定される計算値である。１．１〜３．０の平均オリゴマー化度ｐを有するアルキルおよび／またはアルケニルオリゴグリコシドを使用することが好ましい。応用の観点から、１．７未満、とりわけ１．２〜１．４のオリゴマー化度を有するアルキルおよび／またはアルケニルオリゴグリコシドが好ましい。ＡＰＧは、本発明のマイクロエマルション中に、いずれの場合にもマイクロエマルションの総量に基づいて１０〜２０重量％の量で存在する。本発明では、１４〜１９重量％の範囲の量が特に好ましい。
【０００９】
更に、本発明のエマルションには、鎖長Ｃ１２〜Ｃ２２脂肪酸とグリセロールとのエステルが存在する。本発明では、グリセロールのモノエステルを使用することが好ましい。特に、グリセロールと不飽和直鎖脂肪酸とのモノエステルが適している。本発明では、グリセロールモノオレエートがとりわけ好ましい。これらのグリセロールエステルは、マイクロエマルション中に、いずれの場合にもマイクロエマルションの総量に基づいて４〜１０重量％、好ましくは５〜９重量％の量で存在する。
【００１０】
最後に、本発明のマイクロエマルションは、５〜３０重量％の量で、油体、例えば非水溶性有機相も含んでなる。本発明において特に好ましい油相は、以下からなる群から選択される：６〜１８個の炭素原子を含有する脂肪アルコールに基づくゲルベアルコール、直鎖Ｃ６〜Ｃ２２脂肪酸と直鎖または分枝Ｃ６〜Ｃ２２脂肪アルコールとのエステル、または分枝Ｃ６〜Ｃ１３カルボン酸と直鎖または分枝Ｃ６〜Ｃ２２脂肪アルコールとのエステル、直鎖Ｃ６〜Ｃ２２脂肪酸と分枝アルコールとのエステル、Ｃ６〜Ｃ２２脂肪アルコールおよび／またはゲルベアルコールと芳香族カルボン酸とのエステル、Ｃ６〜Ｃ１０脂肪酸に基づくトリグリセリド、Ｃ６〜Ｃ１８脂肪酸に基づく液体状モノ−／ジ−／トリグリセリド混合物、Ｃ２〜Ｃ１２ジカルボン酸と１〜２２個の炭素原子を含有する直鎖または分枝アルコール或いは２〜１０個の炭素原子および２〜６個のヒドロキシル基を含有するポリオールとのエステル、植物油、分枝第一級アルコール、置換シクロヘキサン、直鎖および分枝Ｃ６〜Ｃ２２脂肪アルコールカーボネート、６〜１８個、好ましくは８〜１０個の炭素原子を含有する脂肪アルコールに基づくゲルベカーボネート、安息香酸と直鎖および／または分枝Ｃ６〜Ｃ２２アルコールとのエステル、アルキル基１つあたり６〜２２個の炭素原子を含有する直鎖または分枝、対称または非対称のジアルキルエーテル、エポキシ化脂肪酸エステルのポリオールによる開環生成物、シリコーン油および／または脂肪族またはナフテン炭化水素、ジアルキルシクロヘキサンおよび／またはシリコーン油。
【００１１】
炭化水素は、炭素および水素のみからなる有機化合物を指称するために使用される用語である。炭化水素は、環式化合物および非環式（＝脂肪族）化合物の両方を包含する。炭化水素は、飽和化合物、およびモノ不飽和化合物またはポリ不飽和化合物のいずれも包含する。炭化水素は、直鎖または分枝であり得る。炭化水素中の炭素原子の数によって、炭化水素は、奇数炭化水素（例えば、ノナン、ウンデカン、トリデカン）または偶数炭化水素（例えば、オクタン、ドデカン、テトラデカン）に分けることができる。分枝のタイプによって、炭化水素は、直鎖（＝非分枝）炭化水素または分枝炭化水素に分けることができる。飽和脂肪族炭化水素は、パラフィンとも称される。
【００１２】
「炭化水素混合物」は、１０重量％までの炭化水素種ではない物質を含んでなる炭化水素混合物を意味すると理解される。直鎖Ｃ１１炭化水素および直鎖Ｃ１３炭化水素の重量％データは、いずれの場合にも、混合物中に存在する炭化水素の和を意味する。１０重量％までの量で存在する非炭化水素は、この計算に考慮されない。
【００１３】
炭化水素種ではなく、炭化水素混合物中に１０重量％まで、特に８重量％まで、好ましくは５重量％までの量で存在し得る物質は、例えば脂肪アルコールであり、これは、炭化水素混合物中に未反応出発物質として残留する。
【００１４】
用語「ＣＸ炭化水素」は、炭素原子数がＸの炭化水素を包含する。従って、例えば、用語「Ｃ１１炭化水素」は、炭素原子数が１１の炭化水素の全てを包含する。
【００１５】
炭化水素混合物が炭化水素の和に基づいて
（ａ）５０〜９０重量％の直鎖Ｃ１１炭化水素、好ましくはｎ−ウンデカン、
（ｂ）１０〜５０重量％の直鎖Ｃ１３炭化水素、好ましくはｎ−トリデカン
を含んでなる、炭化水素混合物が好ましい。
【００１６】
更に、炭素数が２以上異なる、少なくとも２種の異なった炭化水素を含んでなる炭化水素混合物が好ましい。これら２種の異なった炭化水素は、炭化水素の和に基づいて少なくとも６０重量％、好ましくは少なくとも７０重量％を構成する。
【００１７】
用語「２種の異なった炭化水素」は、異なった炭素数を有する炭化水素を意味する。
【００１８】
このことは、炭化水素混合物が、炭素数ｎ（ｎ＝整数）の炭化水素を含んでなる場合、該混合物が、ｎ＋２以上またはｎ−２以下の炭素数を有する少なくとも１種の更なる炭化水素も含んでなることを意味する。
【００１９】
好ましくは、ｎは奇数、特に７、９、１１、１３、１５、１７、１９、２１および／または２３である。
【００２０】
更に、使用される炭化水素は、１４Ｃ同位体を含んでなる炭化水素混合物であり得る。炭化水素混合物は、炭素数が２以上異なる、少なくとも２種の異なった炭化水素を含んでなる。
【００２１】
しかしながら、油成分として、固体状の脂肪および／またはワックスを使用することもできる。これらは、先の段落に記載した油を含む混合物中に存在してもよい。脂肪の典型例は、グリセリド、即ち、高級脂肪酸の混合グリセロールエステルから本質的になる固体状または液体状の植物性生成物または動物性生成物である。本発明では、特に、固体状のモノグリセリドおよびジグリセリド、例えば、グリセロールモノオレエートまたはグリセロールモノステアレートが挙げられる。適当なワックスは、とりわけ天然ワックス、例えば、カンデリラろう、カルナウバろう、木ろう、アフリカハネガヤろう、コルクろう、グアルマろう、ライスオイルろう、サトウキビろう、オウリカリろう、モンタンろう、蜜ろう、セラックろう、鯨ろう、ラノリン（羊毛ろう）、尾羽脂、セレシン、オゾケライト（地ろう）、ペトロラタム、パラフィンワックス、マイクロワックス；化学修飾ワックス（硬ろう）、例えばモンタンエステルろう、サソールろう、水素化ホホバろう、並びに合成ワックス、例えばポリアルキレンワックスおよびポリエチレングリコールワックスである。トコフェロールおよび精油も、油成分として適している。しかしながら、本発明では、グリセロールモノエステルは、油相成分であるとは見なさない。
【００２２】
本発明の方法で使用されるマイクロエマルションの更なる必須成分は、水である。水は好ましくは脱塩されるべきである。方法の第１工程で使用されるマイクロエマルションは、好ましくは８１重量％までの水を含んでなる。好ましい水量範囲は、３０〜８０重量％、特に４５〜６５重量％である。
【００２３】
前記成分に加えて、マイクロエマルションは、付加的成分として、一般式：Ｒ２−ＯＨ
［式中、Ｒ２は６〜２２個の炭素原子を含有する飽和または不飽和、分枝または非分枝のアルキルまたはアルケニル基である。］で示される脂肪アルコールも含み得る。典型例は以下である：カプロンアルコール、カプリルアルコール、２−エチルヘキシルアルコール、カプリンアルコール、ラウリルアルコール、イソトリデシルアルコール、ミリスチルアルコール、セチルアルコール、パルモレイルアルコール、ステアリルアルコール、イソステアリルアルコール、オレイルアルコール、エライジルアルコール、ペトロセリニルアルコール、リノリルアルコール、リノレニルアルコール、エレオステアリルアルコール、アラキルアルコール、ガドレイルアルコール、ベヘニルアルコール、エルシルアルコールおよびブラシジルアルコール、並びに例えば、脂肪および油に基づく工業用メチルエステルまたはRoelenのオキソ合成からのアルデヒドの高圧水素化において、およびモノマー画分として不飽和脂肪アルコールの二量化において得られる、それらの工業用混合物。好ましいものは、１２〜１８個の炭素原子を含有する工業用脂肪アルコール、例えば、ヤシアルコール、パームアルコール、パーム核アルコールまたは獣脂脂肪アルコールである。セチルアルコール、ステアリルアルコール、アラキルアルコール、ベヘニルアルコールおよびそれらの混合物を併用することが特に好ましい。
【００２４】
脂肪アルコールが存在するならば、それらは好ましくはマイクロエマルション全体に基づいて１５重量％までの量で使用される。１〜１０重量％の範囲が好ましく、２〜８重量％が特に好ましい。本発明では、非水溶性有機成分を構成するこれら脂肪アルコールも、油体の定義下には入らない。
【００２５】
本発明の方法の第１工程で調製されるマイクロエマルションは、更に、アニオン性界面活性剤も含み得る。アニオン性界面活性剤の典型例は以下である：石鹸、アルキルベンゼンスルホネート、アルカンスルホネート、オレフィンスルホネート、α−メチルエステルスルホネート、スルホ脂肪酸、アルキルスルフェート、アルキルエーテルスルフェート、モノ−およびジアルキルスルホスクシネート、モノ−およびジアルキルスルホスクシナメート、スルホトリグリセリド、モノグリセリドスルフェート、アミド石鹸、エーテルカルボン酸およびその塩、脂肪酸イセチオネート、脂肪酸サルコシネート、脂肪酸タウリド、Ｎ−アシルアミノ酸、例えば、アシルラクチレート、アシルタートレート、アシルグルタメートおよびアシルアスパルテート、アルキルオリゴグルコシドスルフェートおよびタンパク質脂肪酸縮合物（特に、小麦に基づく植物性生成物）。
【００２６】
本発明において好ましいものは、脂肪アルコールエーテルスルフェート、特に、一般式：Ｒ３Ｏ−（ＣＨ２ＣＨ２Ｏ）ｍＳＯ３Ｘ［式中、Ｒ３は６〜２２個の炭素原子を含有する直鎖または分枝のアルキルおよび／またはアルケニル基であり、ｍは１〜１０の数であり、Ｘはアルカリ金属および／またはアルカリ土類金属、アンモニウム、アルキルアンモニウム、アルカノールアンモニウムまたはグルカンモニウムである。］で示される脂肪アルコールエーテルスルフェートである。アルキルエーテルスルフェート（「エーテルスルフェート」）は、脂肪アルコールまたはオキソアルコールポリグリコールエーテルのＳＯ３またはクロロスルホン酸（ＣＳＡ）硫酸化および続く中和によって工業的に調製される既知のアニオン性界面活性剤である。典型例は以下である：ナトリウム塩および／またはマグネシウム塩としての、カプロンアルコール、カプリルアルコール、２−エチルヘキシルアルコール、カプリンアルコール、ラウリルアルコール、イソトリデシルアルコール、ミリスチルアルコール、セチルアルコール、パルモレイルアルコール、ステアリルアルコール、イソステアリルアルコール、オレイルアルコール、エライジルアルコール、ペトロセリニルアルコール、アラキルアルコール、ガドレイルアルコール、ベヘニルアルコール、エルシルアルコールおよびブラシジルアルコール並びにそれらの工業用混合物の、平均１〜１０ｍｏｌ、特に２〜５ｍｏｌエチレンオキシド付加生成物のスルフェート。本発明では、エーテルスルフェートは、通常または狭い同族体分布のいずれを有してもよい。工業用Ｃ１２／１４−またはＣ１２／１８−ヤシ脂肪アルコール画分の平均２〜３ｍｏｌエチレンオキシド付加生成物に基づくエーテルスルフェートを、それらのナトリウム塩および／またはマグネシウム塩として使用することが特に好ましい。
【００２７】
本発明の方法に使用されるマイクロエマルションは、更に、非イオン性界面活性剤、両性界面活性剤および／またはカチオン性界面活性剤も、好ましくはエマルションの総重量に基づいて合計で１〜２５重量％の量で含み得る。（アルキル（オリゴ）グリコシドの他に）更なる非イオン性界面活性剤の典型例は、例えば、脂肪酸Ｎ−アルキルグルカミド、ポリオール脂肪酸エステル、糖エステル、ソルビタンエステル、ポリソルベート、アルコールエトキシレートおよびアミンオキシドである。調製物によって、アルコールエトキシレートは、脂肪アルコールエトキシレートまたはオキソアルコールエトキシレートと称され、好ましくは式：Ｒ４Ｏ（ＣＨ２ＣＨ２Ｏ）ｎＨＲ４［式中、Ｒ４は、６〜２２個の炭素原子を含有する直鎖または分枝のアルキルおよび／またはアルケニル基であり、ｎは１〜５０の数である。］に従う。典型例は以下である：カプロンアルコール、カプリルアルコール、２−エチルヘキシルアルコール、カプリンアルコール、ラウリルアルコール、イソトリデシルアルコール、ミリスチルアルコール、セチルアルコール、パルモレイルアルコール、ステアリルアルコール、イソステアリルアルコール、オレイルアルコール、エライジルアルコール、ペトロセリニルアルコール、アラキルアルコール、ガドレイルアルコール、ベヘニルアルコール、エルシルアルコールおよびブラシジルアルコール並びに例えば、脂肪および油に基づく工業用メチルエステルまたはRoelenのオキソ合成からのアルデヒドの高圧水素化において、およびモノマー画分として不飽和脂肪アルコールの二量化において得られる、それらの工業用混合物の、平均１〜５０ｍｏｌ、好ましくは５〜４０ｍｏｌ、特に１０〜２５ｍｏｌ付加生成物。好ましいものは、１２〜１８個の炭素原子を含有する工業用脂肪アルコール、例えば、ヤシアルコール、パームアルコール、パーム核アルコールまたは獣脂脂肪アルコールの、１０〜４０ｍｏｌエチレンオキシド付加生成物である。
【００２８】
適当な両性界面活性剤および双性イオン性界面活性剤の例は、アルキルベタイン、アルキルアミドベタイン、アミノプロピオネート、アミノグリシネート、イミダゾリニウムベタインおよびスルホベタインである。適当なアルキルベタインの例は、第二級アミンおよび特に第三級アミンのカルボキシアルキル化生成物である。典型例は、ヘキシルメチルアミン、ヘキシルジメチルアミン、オクチルジメチルアミン、デシルジメチルアミン、ドデシルメチルアミン、ドデシルジメチルアミン、ドデシルエチルメチルアミン、Ｃ１２／１４−ココアルキルジメチルアミン、ミリスチルジメチルアミン、セチルジメチルアミン、ステアリルジメチルアミン、ステアリルエチルメチルアミン、オレイルジメチルアミン、Ｃ１６／１８−獣脂−アルキルジメチルアミンおよびそれらの工業用混合物の、カルボキシメチル化生成物である。アミドアミンの更なるカルボキシアルキル化生成物も適している。典型例は、６〜２２個の炭素原子を含有する脂肪酸（即ち、カプロン酸、カプリル酸、カプリン酸、ラウリン酸、ミリスチン酸、パルミチン酸、パルモレイン酸、ステアリン酸、イソステアリン酸、オレイン酸、エライジン酸、ペトロセリン酸、リノール酸、リノレン酸、エレオステアリン酸、アラキン酸、ガドレイン酸、ベヘン酸、エルカ酸）およびこれらの工業用混合物とＮ，Ｎ−ジメチルアミノエチルアミン、Ｎ，Ｎ−ジメチルアミノプロピルアミン、Ｎ，Ｎ−ジエチルアミノエチルアミンおよびＮ，Ｎ−ジエチルアミノプロピルアミンとの反応生成物を、クロロ酢酸ナトリウムと縮合させたものである。Ｃ８／１８−ヤシ脂肪酸−Ｎ，Ｎ−ジメチルアミノプロピルアミドとクロロ酢酸ナトリウムとの縮合生成物を使用することが好ましい。更に、イミダゾリニウムベタインも適当である。これらの物質も、例えば１〜２ｍｏｌの脂肪酸と多官能性アミン（例えばアミノエチルエタノールアミン（ＡＥＥＡ）またはジエチレントリアミン）との環化縮合によって得られる、既知の物質である。対応するカルボキシアルキル化生成物は、様々な開鎖ベタインの混合物である。典型例は、前記脂肪酸とＡＥＥＡとの縮合生成物、好ましくは、ラウリン酸または再びＣ１２／１４−ヤシ脂肪酸に基づくイミダゾリンを、続いてクロロ酢酸ナトリウムでベタイン化させたものである。
【００２９】
カチオン性界面活性剤の典型例は、第四級アンモニウム化合物およびエステルクォート、特に四級化脂肪酸トリアルカノールアミンエステル塩である。
【００３０】
工程１にとって特に好ましいマイクロエマルションは、以下の組成を有する：
アルキル（オリゴ）グリコシド          １０〜２０重量％
グリセロール脂肪酸エステル            ４〜１０重量％
油体                                  ５〜３０重量％
脂肪アルコールエーテルスルフェート    ０〜１５重量％
脂肪アルコール                        ０〜１５重量％。
そして、１００重量％までの残量は、いずれの場合にも、適切な場合は更なる任意成分で補われた水である。
【００３１】
本発明の方法の第１工程で調製された前記マイクロエマルションを、独立した工程において水で希釈すると、１μｍ未満の平均粒度を有する本発明の微分散エマルションが自発的に生じる。本発明では、マイクロエマルションの体積に基づいて５〜２０倍の体積の水を希釈に使用する。希釈工程は、１５〜３５℃の温度、好ましくは室温（＝２１℃）で実施できる。好適には、マイクロエマルション１部あたり４〜９部の水を添加する。希釈工程は、工程１におけるマイクロエマルションの調製後に直接実施できる。しかしながら、後に希釈することも可能であり、実際のところは好ましい。工程１からのマイクロエマルションは、同様に貯蔵安定である。このことは、この中間体の長期貯蔵時でさえ、第２工程において後に調製されるエマルションの安定性または組成に関して不都合が生じないことを意味する。
【００３２】
最終希釈工程によって得られるエマルションは、１μｍ未満、好ましくは０．８μｍ未満の平均粒度を有する。本発明では、１μｍ未満の直径または寸法を有する液滴画分が、液滴全体の少なくとも７０％、好ましくは少なくとも８０％、特に好ましくは少なくとも９０％であることが好適である。このようにして調製された微分散エマルションは、それらとしては本出願によって提供される。
【００３３】
本発明に従って調製された微分散エマルションは、化粧品、例えば、ヘアシャンプー、ヘアローション、フォームバス、シャワージェル、クリーム、ジェル、ローション、アルコール性溶液および水性／アルコール性溶液、エマルション、ワックス／脂肪物質、スティック製剤、パウダーまたは軟膏の製造に使用され得る。これらの化粧組成物は、更なる助剤および添加剤として、穏やかな界面活性剤、油体、乳化剤、真珠光沢ワックス、コンシステンシー調整剤、増粘剤、過脂化剤、安定剤、ポリマー、シリコーン化合物、脂肪、ワックス、レシチン、リン脂質、生物起源活性成分、ＵＶ太陽光保護因子、酸化防止剤、消臭剤、制汗剤、フケ防止剤、フィルム形成剤、膨潤剤、防虫剤、日焼け剤、チロシン抑制剤（脱色剤）、ヒドロトロープ、可溶化剤、防腐剤、香油、染料なども含んでなることができる。従って、本出願は更に、前記水性エマルションを含んでなる化粧組成物を提供する。皮膚または毛髪を手入れするための低粘性ローションが好ましい。
【実施例】
【００３４】
最初に、以下の組成を有するマイクロエマルションを、成分の混合により調製した。
【００３５】
【表１】
0005690138.tif 000002
【００３６】
次いで、このマイクロエマルションを、本発明に従って水で希釈した。ここでは、３種の希釈物を分析した。結果を以下の表に示す。
【００３７】
【表２】
0005690138.tif 000003
【００３８】
エマルションの粒度は、Horiba LB500型測定装置を用いて測定した。得られたエマルションは貯蔵安定である。即ち、４０℃での４週間にわたる貯蔵で、目に見える油の堆積は起こらなかった。